(57)【要約】【課題】着用者の発汗に起因する肌トラブルを効果的に防止し得る吸収性物品を提供すること。【解決手段】背側部Ｃにおける吸収性本体５の肌対向面上に、立体ギャザー７が該吸収性本体５に接合されて該立体ギャザー７の起立が阻害された、起立阻害部７２Ｃが形成されている。起立阻害部７２Ｃは、少なくとも背側部Ｃに配され且つ着用者の肌と接触して汗を吸収する、吸汗シート２０で覆われている。吸汗シート２０は、平面視において、吸収性本体５の背側部Ｃ側の縦方向端部５１よりも縦方向Ｘの外方を通って横方向Ｙに延びる、縦方向外側端２１と、該縦方向外側端２１とは縦方向Ｘの反対側に位置して横方向Ｙに延びる、縦方向内側端２２とを有し、且つ縦方向内側端２２の一部が縦方向外側端２１側とは反対側に突出する、凸部２３を複数有している。【選択図】図２
2014083191.tif 000002
【特許請求の範囲】
【請求項１】
吸収性本体を備え、着用者の前後方向に相当する縦方向とこれに直交する横方向とを有し、着用時に着用者の腹側に配される腹側部、股間部に配される股下部及び背側に配される背側部を該縦方向に有する吸収性物品であって、
前記吸収性本体の縦方向に沿う両側部に、着用時に着用者の肌側に向かって起立する部分を有する一対の立体ギャザーが設けられており、
前記背側部における前記吸収性本体の肌対向面上に、前記立体ギャザーが該吸収性本体に接合されて該立体ギャザーの起立が阻害された、起立阻害部が形成されており、該起立阻害部は、少なくとも該背側部に配され且つ着用者の肌と接触して汗を吸収する、吸汗シートで覆われており、
前記吸汗シートは、平面視において、前記吸収性本体の前記背側部側の縦方向端部よりも縦方向外方を通って横方向に延びる、縦方向外側端と、該縦方向外側端とは縦方向の反対側に位置して横方向に延びる、縦方向内側端とを有し、且つ該縦方向内側端の一部が該縦方向外側端側とは反対側に突出する、凸部を複数有している吸収性物品。
【請求項２】
前記吸汗シートは、平面視において、前記縦方向内側端の一部がその周辺部に比して前記縦方向外側端側に窪んでいる、窪み部を横方向中央に有している請求項１記載の吸収性物品。
【請求項３】
前記凸部は、前記吸汗シートを横方向に二分する仮想直線を挟んで両側それぞれに位置している請求項１又は２記載の吸収性物品。
【請求項４】
前記吸汗シートは前記凸部を２つ有している請求項１〜３の何れか一項に記載の吸収性物品。
【請求項５】
前記起立阻害部は、前記吸汗シートの前記凸部で覆われている請求項１〜４の何れか一項に記載の吸収性物品。
【請求項６】
前記凸部は、曲線で構成されている請求項１〜５の何れか一項に記載の吸収性物品。
【請求項７】
前記凸部の頂部は、その全体が前記吸収性本体の横方向外方に位置している請求項１〜６の何れか一項に記載の吸収性物品。
【請求項８】
前記股下部の縦方向に沿う両側部それぞれに、レッグギャザー形成用のレッグ弾性部材が配されており、前記吸汗シートは、前記凸部が該レッグ弾性部材と重ならないように配されている請求項１〜７の何れか一項に記載の吸収性物品。
【発明の詳細な説明】
【技術分野】
【０００１】
本発明は、使い捨ておむつ等の吸収性物品に関する。
【背景技術】
【０００２】
使い捨ておむつの着用中、おむつ内部は、着用者の排尿や発汗によって湿度が上昇し易く蒸れ易いため、着用者の肌の赤みやかゆみ等の肌トラブルが発生し易い。特に、使い捨ておむつにおいては、ウエスト部や胴周り部が着用者の肌により密着するため、これらの密着部において発汗し易くなり、肌トラブルを招き易い。そこで、おむつのウエスト部や胴周り部の肌対向面に、着用者の肌と接触して汗を吸収する吸汗シートを貼り付けることが提案されている。
【０００３】
例えば特許文献１には、立体ガード（立体ギャザー）を備えた吸収性本体と、該吸収性本体の非肌対向面側に配された外装体とを具備する使い捨ておむつにおいて、該外装体における、該吸収性本体の背側部側の縦方向端部から縦方向外方に延出する部分（背側部側のエンドフラップ）の肌対向面を、平面視矩形状の吸汗シートで覆うことが記載されている。特許文献１に記載の使い捨ておむつにおいては、吸汗シートは、外装体（背側部側のエンドフラップ）のみならず、これに隣接する吸収性本体の背側部側の縦方向端部も覆っており、立体ギャザーの背側部側の縦方向端部が該吸汗シートで覆われている。また特許文献２には、吸汗シートの配置形態が特許文献１と同様の使い捨ておむつが記載されており、また、特許文献２の〔００６３〕には、吸汗シートの平面視形状として、矩形状以外に、楕円状、長円状、瓢箪状等を採用できる旨記載されている。
【先行技術文献】
【特許文献】
【０００４】
【特許文献１】特開２００４−３５８０９９号公報
【特許文献２】特開２００９−１４８５３１号公報
【発明の概要】
【発明が解決しようとする課題】
【０００５】
特許文献１及び２に記載の使い捨ておむつは、吸汗シートの作用により、着用者の発汗に起因する肌トラブルをある程度は抑制し得るが、肌トラブルの防止技術に関し改善の余地がある。
【０００６】
従って本発明の課題は、着用者の発汗に起因する肌トラブルを効果的に防止し得る吸収性物品を提供することにある。
【課題を解決するための手段】
【０００７】
本発明は、吸収性本体を備え、着用者の前後方向に相当する縦方向とこれに直交する横方向とを有し、着用時に着用者の腹側に配される腹側部、股間部に配される股下部及び背側に配される背側部を該縦方向に有する吸収性物品であって、前記吸収性本体の縦方向に沿う両側部に、着用時に着用者の肌側に向かって起立する部分を有する一対の立体ギャザーが設けられており、前記背側部における前記吸収性本体の肌対向面上に、前記立体ギャザーが該吸収性本体に接合されて該立体ギャザーの起立が阻害された、起立阻害部が形成されており、該起立阻害部は、少なくとも該背側部に配され且つ着用者の肌と接触して汗を吸収する、吸汗シートで覆われており、前記吸汗シートは、平面視において、前記吸収性本体の前記背側部側の縦方向端部よりも縦方向外方を通って横方向に延びる、縦方向外側端と、該縦方向外側端とは縦方向の反対側に位置して横方向に延びる、縦方向内側端とを有し、且つ該縦方向内側端の一部が該縦方向外側端側とは反対側に突出する、凸部を複数有している吸収性物品を提供することにより、前記課題を解決したものである。
【発明の効果】
【０００８】
本発明の吸収性物品は、汗の吸収能が高く、着用者の発汗に起因する肌トラブルを効果的に防止し得る。
【図面の簡単な説明】
【０００９】
【図１】図１は、本発明の吸収性物品の一実施形態であるパンツ型使い捨ておむつの一例の斜視図である。
【図２】図２は、図１に示す使い捨ておむつをサイドシール部で切り離し、各部の弾性部材を伸長させて平面状に拡げた展開状態における肌対向面側（吸収性本体側）の平面図である。
【図３】図３は、図１に示す使い捨ておむつの分解斜視図である。
【図４】図４は、図２のＩ−Ｉ線断面を模式的に示す断面図である。
【図５】図５は、図３のＩＩ−ＩＩ線断面を模式的に示す断面図である。
【図６】図６は、図２のＩＩＩ−ＩＩＩ線断面を模式的に示す断面図である。
【図７】図７（ａ）〜図７（ｄ）は、それぞれ、本発明に係る吸汗シートの他の実施形態を模式的に示す平面図である。
【発明を実施するための形態】
【００１０】
以下、本発明の吸収性物品を、その好ましい実施形態に基づき図面を参照しながら説明する。図１〜図６には、本発明の吸収性物品の一実施形態であるパンツ型使い捨ておむつ１が記載されている。おむつ１は、吸収性本体５を備え、着用者の前後方向に相当する縦方向Ｘとこれに直交する横方向Ｙとを有し、着用時に着用者の腹側に配される腹側部Ａ、股間部に配される股下部Ｂ及び背側に配される背側部Ｃを縦方向Ｘに有している。
【００１１】
更に説明すると、おむつ１は、図１〜図６に示すように、肌対向面を形成する液透過性の表面シート２、非肌対向面を形成する液不透過性ないし撥水性（以下、これらを総称して液不透過性という）の裏面シート３、及び両シート２，３間に配置された液保持性の吸収体４を具備する吸収性本体５と、該吸収性本体５の非肌対向面側（裏面シート３側）に位置して該吸収性本体５を固定している外装体６とを備えている。外装体６は、図２に示す如き展開状態のおむつ１の外形を形作っており、外装体６の周縁は、展開状態のおむつ１の輪郭線を形成している。吸収性本体５と外装体６との間は接着剤によって接合されている。
【００１２】
尚、本明細書において、肌対向面は、吸収性物品（おむつ１）又はその構成部材（吸収性本体５等）における、吸収性物品の着用時に着用者の肌側に向けられる面であり、非肌対向面は、吸収性物品又はその構成部材における、吸収性物品の着用時に肌側とは反対側（着衣側）に向けられる面である。
【００１３】
吸収性本体５は、表面シート２、裏面シート３及び吸収体４が一体化されてなる。表面シート２、裏面シート３及び吸収体４としては、それぞれ、この種の物品に従来用いられている各種のものを特に制限なく用いることができる。例えば、表面シート２としては各種の不織布や開孔フィルム等を用いることができ、裏面シート３としては樹脂フィルムや、樹脂フィルムと不織布等とのラミネート等を用いることができる。吸収体４としては、吸水性ポリマーの粒子及びパルプ繊維等の繊維材料からなる吸収性コアを含んで構成されるものを用いることができ、該吸収性コアは、ティッシュペーパ等のコアラップシートで被覆されていても良い。
【００１４】
外装体６は、図２に示すように、その縦方向Ｘに沿う両側縁が股下部Ｂにおいて内向きの円弧状に湾曲して一対のレッグ縁部１０，１０を形成しており、図２に示す如き平面視において、縦方向Ｘの中央部が内方に括れた砂時計状の形状を有している。外装体６は、腹側部Ａにおける縦方向Ｘに沿う両側縁部Ａ１，Ａ２と背側部Ｃにおける縦方向Ｘに沿う両側縁部Ｃ１，Ｃ２とが、接着剤、ヒートシール、超音波シール等の公知の接合手段によって互いに接合されており、その接合によって、図１に示すように、おむつ１に一対のサイドシール部Ｓ，Ｓが形成され、その結果として、ウエスト開口部ＷＨ及び一対のレッグ開口部ＬＨ，ＬＨが形成されている。
【００１５】
外装体６は、図３、図４及び図６に示すように、外層シート６１と内層シート６２との積層体から構成されている。外層シート６１は、おむつ１の非肌対向面（外面）を形成し、内層シート６２は、外層シート６１に厚み方向に隣接しておむつ１の肌対向面（内面）の一部を形成している。外層シート６１及び内層シート６２は何れも撥水性の不織布から構成されている。外層シート６１と内層シート６２との間は、所定の部位において接着剤（図示せず）によって接合されている。外層シート６１は、内層シート６２と同形状・同寸法の部分に加えて更に、両シート６１，６２を積層した際に内層シート６２の腹側部Ａ側の縦方向Ｘの端部から外方に延出する腹側延出部６１Ａと、内層シート６２の背側部Ｃ側の縦方向Ｘの端部から外方に延出する背側延出部６１Ｃとを有している。外層シート６１の両延出部６１Ａ，６１Ｃは、それぞれ、図２に示すように、内層シート６２上に配置固定された吸収性本体５の縦方向Ｘの両端部５１，５１を覆うように、該内層シート６２側に折り返され、接着剤によって、両延出部６１Ａ，６１Ｃと対向するおむつ１の他の構成部材（内層シート６２、吸収性本体５、立体ギャザー７）に固定されている。
【００１６】
図２に示すように、腹側部Ａ及び背側部Ｃそれぞれにおけるウエスト部Ｄには、１本又は複数本のウエストギャザー形成用のウエスト弾性部材１１が横方向Ｙに伸長状態で配されている。ウエスト弾性部材１１は、ウエスト部Ｄの横方向Ｙの略全長に亘って延びている。ウエスト部Ｄは、着用者の腰回りに位置する部位であり、通常、おむつ１の腹側部Ａ側又は背側部Ｃ側の縦方向Ｘの端部からおむつ１の縦方向Ｘの全長の１〜１５％の長さまでの領域である。これによってウエスト開口部ＷＨ（図１参照）には、その全周に亘って実質的に連続した環状のウエストギャザーが形成されている。
【００１７】
また、図２に示すように、股下部Ｂの縦方向Ｘに沿う両側部（レッグ縁部）１０，１０それぞれには、１本又は複数本のレッグギャザー形成用のレッグ弾性部材１２が伸長状態で配されている。これによって一対のレッグ開口部ＬＨ，ＬＨ（図１参照）それぞれの開口縁部であるレッグ縁部１０には、その全周に亘って実質的に連続した環状のレッグギャザーが形成されている。レッグ弾性部材１２は、少なくとも吸収性本体５の縦方向Ｘに沿う両側縁よりも横方向Ｙの外方の部位に弾性伸縮性が発現されるように伸長状態で配されており、且つ吸収性本体５が存在する部位の少なくとも横方向Ｙの中央部には弾性伸縮性が発現される状態では配されていない。
【００１８】
また、図２に示すように、これらの弾性部材１１，１２とは別に、腹側部Ａ及び背側部Ｃそれぞれにおける、ウエスト部Ｄと股下部Ｂとの間に位置する胴周り部Ｅには、１本又は複数本の胴周りギャザー形成用の胴周り弾性部材１３が横方向Ｙに伸長状態で配されている。胴周り弾性部材１３は、少なくとも吸収性本体５の縦方向Ｘに沿う両側縁よりも横方向Ｙの外方の部位に弾性伸縮性が発現されるように伸長状態で配されており、且つ吸収性本体５が存在する部位の少なくとも横方向Ｙの中央部には弾性伸縮性が発現される状態では配されていない。
【００１９】
以上の各弾性部材１１，１２，１３は、何れも外装体６を構成する外層シート６１と内層シート６２との間に接着剤等の接合手段により挟持固定されている。各弾性部材１１，１２，１３としては、天然ゴム、ポリウレタン系樹脂、発泡ウレタン系樹脂、ホットメルト系伸縮部材等の伸縮性素材を糸状（糸ゴム）又は帯状（平ゴム）に形成したものが好ましく用いられる。
【００２０】
図２〜図４に示すように、吸収性本体５の縦方向Ｘに沿う両側部には、着用時に着用者の肌側に向かって起立する部分を有する一対の立体ギャザー７，７が設けられている。本実施形態においては、立体ギャザー７は、吸収性本体５の縦方向Ｘの略全長に亘って設けられており、少なくとも股下部Ｂにおいて縦方向Ｘに沿う一側縁部側が着用時に着用者の肌側に向かって起立する、基壁部７０と、該基壁部７０の該一側縁部（上端部）に連接され、縦方向Ｘに沿って立体ギャザー形成用弾性部材１４が伸長状態で配されている、弾性伸縮部７１とを含んで構成されている。
【００２１】
立体ギャザー７について更に説明すると、立体ギャザー７は、立体ギャザー形成用弾性部材１４に加えて更に、縦方向Ｘに一定の幅を有する１枚のサイドシート１５を含んで構成されている。サイドシート１５は、図４に示すように、基壁部７０及びその一側縁部（上端部）に弾性伸縮部７１が連設された形状を有するように折り返されており、弾性伸縮部７１は、１枚のサイドシート１５が折り重ねられて２層構造となっている。立体ギャザー形成用弾性部材１４は、この２層構造を構成する２枚のサイドシート１５，１５の間に伸長状態で配されており、図示しない接着剤によって両サイドシート１５，１５に接合されている。立体ギャザー形成用弾性部材１４としては、前記弾性部材１１，１２，１３と同様のものを用いることができる。サイドシート１５としては、この種の物品において立体ギャザー（防漏壁）として従来用いられている各種のものを特に制限なく用いることができ、例えば、撥水性の不織布、樹脂フィルム製のシート、不織布と樹脂フィルムとのラミネート体等を用いることができる。
【００２２】
基壁部７０は、図４に示すように、弾性伸縮部７１が連設されていない他側縁部側（下端部側）が、吸収性本体５における吸収体４と裏面シート３との間に接着剤等の固定手段によって挟持固定されており、その固定部を起点として、弾性伸縮部７１が連設されている一側縁部側（上端部側）が着用時に着用者の肌側に向かって起立する。弾性伸縮部７１には、縦方向Ｘに延びる１本又は複数本（本実施形態では２本）の立体ギャザー形成用弾性部材１４が伸長状態でサイドシート１５に接合固定されていることによって伸縮性が付与されており、その伸縮方向は縦方向Ｘに一致している。
【００２３】
図２及び図３に示すように、背側部Ｃにおける吸収性本体５の肌対向面（表面シート２の肌対向面）上には、吸収性本体５の縦方向Ｘに沿う両側縁より横方向Ｙの内方において立体ギャザー７が吸収性本体５に接合されて該立体ギャザー７の起立が阻害された、起立阻害部７２Ｃが形成されている。起立阻害部７２Ｃは、立体ギャザー７の背側部Ｃ側の縦方向Ｘの端部における弾性伸縮部７１が、図５に示すように、吸収性本体５（表面シート２）に接着剤、ヒートシール、超音波シール等の公知の接合手段によって接合されて形成されており、起立阻害部７２Ｃにおいては弾性伸縮部７１の伸縮性が阻害されている。本実施形態においては、更に、腹側部Ａにおける吸収性本体５の肌対向面（表面シート２の肌対向面）上には、吸収性本体５の縦方向Ｘに沿う両側縁より横方向Ｙの内方において立体ギャザー７が吸収性本体５に接合されて該立体ギャザー７の起立が阻害された、起立阻害部７２Ａ（背側部Ｃの起立阻害部７２Ｃとは別の起立阻害部）が形成されている。この腹側部Ａの起立阻害部７２Ａは、立体ギャザー７の腹側部Ａ側の縦方向Ｘの端部における弾性伸縮部７１が、図５に示すように、吸収性本体５に接合されて形成されている。起立阻害部７２Ａ，７２Ｃそれぞれの一部（縦方向Ｘの外方側）は、外層シート６１の折り返された延出部６１Ａ，６１Ｃによって覆われている（図２及び図６参照）。
【００２４】
このように、本実施形態においては、吸収性本体５の肌対向面上に、一対の立体ギャザー７，７それぞれの縦方向Ｘの両端部（該両端部における弾性伸縮部７１）が吸収性本体５（表面シート２）に接合されて該立体ギャザー７（基壁部７０）の起立が阻害された、起立阻害部７２Ａ，７２Ｃが形成されている。また、各立体ギャザー７における両起立阻害部７２Ａ，７２Ｃに挟まれた部位（股下部Ｂに位置する部位）は、弾性伸縮部７１の伸縮性が阻害されておらず、着用時に着用者の肌側に向かって起立する。この各立体ギャザー７における起立部位は、少なくとも股下部Ｂの縦方向Ｘの全長に亘り、本実施形態では更に、腹側部Ａ及び背側部Ｃそれぞれの股下部Ｂ寄りの部分にも亘っている。
【００２５】
そして、本実施形態においては、図２、図３及び図６に示すように、背側部Ｃの起立阻害部７２Ｃは、少なくとも背側部Ｃに配され且つ着用者の肌と接触して汗を吸収する、吸汗シート２０で覆われている。吸汗シート２０は、吸収性本体５（表面シート２）、立体ギャザー７及び内層シート６２と共に、おむつ１の肌対向面（内面）の一部を形成しており、着用者の肌と接触する。背側部Ｃの起立阻害部７２Ｃを覆う吸汗シート２０は、通常、本実施形態のように背側部Ｃのみに配されるか、又は、背側部Ｃと股下部Ｂにおける背側部Ｃ寄りの部分とに跨る部分〔おむつ１を縦方向Ｘに二分する仮想直線（図示せず）を引いた場合に該仮想直線よりも背側に位置する部分〕のみに配される。
【００２６】
吸汗シート２０は、それに対向するおむつ１の他の構成部材〔吸収性本体５（表面シート２）、立体ギャザー７、外装体６（内層シート６２）〕に対し、接着剤、ヒートシール、超音波シール等の公知の接合手段によって部分的に又は全面的に接合されている。本実施形態における吸汗シート２０は、それに対向する他のおむつ構成部材に対し、ホットメルト型接着剤によって部分的に接合されており、図６に示すように、その接合部８が形成されている。接合部８は、図２に示す如き平面視において横方向Ｙに平行な直線状をなし、吸汗シート２０の横方向Ｙの全長に亘って延びている。直線状の接合部８は、縦方向Ｘに所定間隔を置いて複数（図６に示す実施形態では４つ）形成されている。
【００２７】
立体ギャザー７においては、通常、前記起立部位（起立阻害部７２Ａ，７２Ｃに挟まれた部位）は、おむつ１の着用中において着用者の肌と線接触するため、着用者の汗がたまりにくいのに対し、背側部Ｃの起立阻害部７２Ｃは、おむつ１の着用中において着用者の肌と常時面接触するため、着用者の汗がたまりやすい。しかも、起立阻害部７２Ｃは、立体ギャザー７の弾性伸縮部７１（サイドシート１５）と吸収性本体５（表面シート２）とが接着剤を介してあるいは融着によって互いに接合されて形成されているため、疎水性であり、汗を吸収し難い。そのため、起立阻害部７２Ｃは、着用者の肌の赤みやかゆみ等の肌トラブルを招き易い。本実施形態においては、このような、肌と常時面接触する疎水性の部位である起立阻害部７２Ｃを、吸汗シート２０で覆うことにより、効果的な汗の吸収を誘引し、おむつ１内の発汗による蒸れを解消して、肌トラブルの防止を図っている。
【００２８】
しかしながら、背側部Ｃの起立阻害部７２Ｃを覆う吸汗シート２０を採用しても、該吸汗シート２０の平面視形状が適切でなければ、着用者の発汗に起因する肌トラブルを効果的に防止することはできず、むしろ、吸収体４の肌対向面側に吸汗シート２０が配されることによって該吸収体４による吸収作用が妨げられるおそれもある。即ち、肌トラブルを引き起こす大きな要因となり得る、おむつ１の背側部Ｃにおける着用者の肌との常時接触部位は、図２に示す如き平面視において、幅（縦方向Ｘの長さ）が一定の帯状（矩形状）とはなっておらず、起伏に富んだ臀部の存在によって、該幅が横方向Ｙにおいて変化する特殊形状をなしているところ、吸収体４の吸収作用を極力妨げずに肌トラブルを効果的に防止するためには、吸汗シート２０の平面視形状を、背側部Ｃにおける着用者の肌との常時接触部位の斯かる特殊形状に対応させる必要がある。
【００２９】
斯かる観点から、本実施形態においては、吸汗シート２０の平面視形状を次のように工夫している。即ち、吸汗シート２０は、図２に示す如き平面視において、吸収性本体５の背側部Ｃ側の縦方向Ｘの端部５１よりも縦方向Ｘの外方を通って横方向Ｙに延びる、縦方向外側端２１と、該縦方向外側端２１とは縦方向Ｘの反対側に位置して横方向Ｙに延びる、縦方向内側端２２とを有し、且つ該縦方向内側端２２の一部が該縦方向外側端２１側とは反対側に突出する、凸部２３を複数有している。より具体的には、吸汗シート２０は、図２に示すように、縦方向外側端２１が横方向Ｙに平行な直線状であるのに対し、縦方向内側端２２がそのような直線状ではなく、縦方向外側端２１側とは反対側に突出する部分を複数有しており、該吸汗シート２０を縦方向Ｘに二分する仮想直線（図示せず）を挟んで縦方向Ｘの外方側と内方側とで非対称の形状をなしている。
【００３０】
尚、本発明において、吸汗シートの凸部は、当該凸部の付け根を通る横方向に平行な仮想基準線（図示せず）を引いた場合に、該吸汗シートにおける該仮想基準線よりも縦方向内方（吸収性物品の縦方向中央に近い側）に位置する部分である。凸部の付け根は、吸汗シートの縦方向内側端の、縦方向外側端側とは反対側への立ち上がり部分であり、通常、凸部の頂部（縦方向外側端側とは反対側に最も突出している部分）を挟んで横方向の両側それぞれに１つずつ存在する。例えば、吸汗シート２０の凸部２３の付け根は、吸汗シート２０の縦方向内側端２２の一端又は他端及び窪み部２４の２つである。２つの付け根の縦方向の位置が異なる場合は、吸収性物品の縦方向中央（股下部）に近い方の付け根を通るように前記仮想基準線を引く。後述する吸汗シート２０Ｄ（図７（ｄ）参照）のように、凸部２３の頂部２３ｐが吸汗シート２０Ｄの縦方向内側端２２の一端又は他端を含んで構成されている場合、該凸部２３の付け根は、横方向Ｙの中央（窪み部２４）寄りに１つのみである。
【００３１】
吸汗シート２０の採用により吸収体４の吸収作用を極力妨げずに肌トラブルを効果的に防止するためには、吸汗シート２０の凸部２３は複数必要である。仮に、凸部２３が１つしかない吸汗シートを用いた場合、一対の立体ギャザー７，７それぞれの起立阻害部７２Ｃを該吸汗シートで覆うとなると、１つしかない凸部２３の頂部が一対の立体ギャザー７，７の間に位置することになるところ、斯かる吸汗シートの配置形態では、背側部Ｃにおける着用者の肌との常時接触部位を吸汗シートで十分に覆うことができないため、着用者の発汗に起因する肌トラブルを防止できず、しかも、吸汗シートと吸収体４との重なり部分の総面積が大きすぎるため、吸収体４の吸収作用が妨げられるおそれがある。
【００３２】
本実施形態においては、吸汗シート２０は下記構成ｉ〜ｖｉの全てを具備している。吸汗シート２０に下記構成ｉ〜ｖｉの全てを具備させることにより、吸汗シート２０と吸収体４との重なり部分の総面積を最小限に抑えて、吸汗シート２０の採用に起因する吸収体４の吸収作用の低下を抑制しつつ、背側部Ｃの起立阻害部７２Ｃを含む、背側部Ｃにおける着用者の肌との常時接触部位を、吸汗シート２０で確実に覆うことが可能となり、結果として、着用者の発汗に起因する肌トラブルがより効果的に防止される。
【００３３】
・吸汗シート２０は、平面視において、縦方向内側端２２の一部がその周辺部に比して縦方向外側端２１側に窪んでいる、窪み部２４を横方向Ｙの中央に有している（構成ｉ。図２及び図３参照。）。本実施形態においては、窪み部２４は、図２に示すように、一対の立体ギャザー７，７の間（中央）に位置し、曲線で構成されている。
・凸部２３は、吸汗シート２０を横方向Ｙに二分する仮想直線Ｌを挟んで両側それぞれに位置している（構成ｉｉ。図２参照。）。本実施形態においては、凸部２３は、仮想直線Ｌを挟んで両側それぞれに１つずつ位置している。
・吸汗シート２０は凸部２３を２つ有している（構成ｉｉｉ。図２及び図３参照。）。
・背側部Ｃの起立阻害部７２Ｃは、吸汗シート２０の凸部２３で覆われている（構成ｉｖ。図２参照。）。
・凸部２３は、曲線で構成されている（構成ｖ。図２及び図３参照。）。本実施形態においては、凸部２３の周縁を含む、吸汗シート２０の縦方向内側端２２の全体が曲線で構成されている。
・凸部２３の頂部２３ｐは、その全体が吸収性本体５の横方向Ｙの外方に位置している（構成ｖｉ。図２参照。）。
【００３４】
また、本実施形態においては、吸汗シート２０の大きさは、図２に示すように、背側部Ｃよりも小さくなされており、吸汗シート２０の周縁（輪郭線）は、背側部Ｃ（外装体６における背側部Ｃを構成する部分）の周縁（輪郭線）よりも内方に存している。吸汗シート２０の大きさが背側部Ｃと同じで、吸汗シート２０の周縁と背側部Ｃの周縁とが一致していると、サイドシール部Ｓを構成する部材の厚みが大きくなってシール強度が低下するおそれがあるため、本実施形態のように、吸汗シート２０は背側部Ｃよりも小さいことが好ましい。斯かる観点から、吸汗シート２０の周縁と背側部Ｃ（外層体６）の周縁との離間距離、特に、吸汗シート２０の縦方向Ｘに沿う側縁部と該側縁部の近傍に位置する背側部Ｃ（外層体６）の縦方向Ｘに沿う側縁部Ｃ１，Ｃ２（サイドシールＳを構成する側縁部）との離間距離Ｐ（図２参照）は、好ましくは５ｍｍ以上、更に好ましくは１０ｍｍ以上、そして、好ましくは１２０ｍｍ以下、更に好ましくは７０ｍｍ以下、より具体的には、好ましくは１０〜５０ｍｍ、更に好ましくは２０〜４０ｍｍである。尚、斯かる離間距離は、吸収性物品に配されている各弾性部材を伸長させた状態におけるものである。
【００３５】
また、本実施形態においては、吸汗シート２０は、図２に示すように、凸部２３がレッグ弾性部材１２と重ならないように配されている。レッグ弾性部材１２の配設部位（レッグ縁部１０）は、おむつ１の着用中において、レッグ弾性部材１２の収縮により皴が多数発生した状態となるところ、このような皴の発生部位が吸汗シートで覆われていると、該吸汗シートが皴の発生部位の形状に追従できず、結果として、着用者の脚周りとこれに対向する該吸汗シートとの間に隙間が生じ、液の漏れを誘発するおそれがある。そこで、本実施形態においては、吸汗シート２０を、凸部２３がレッグ弾性部材１２と重ならないように配している。
【００３６】
吸汗シート２０による前述した作用効果をより確実に奏させるようにする観点から、吸汗シート２０の各部の寸法等は以下のように設定することが好ましい。尚、以下に示す各部の寸法（長さ等）は、何れも吸収性物品に配されている各弾性部材を伸長させた状態におけるものである。
凸部２３の頂部２３ｐとこれに隣接する窪み部２４との離間距離Ｑ（図２参照）は、好ましくは５ｍｍ以上、更に好ましくは１０ｍｍ以上、そして、好ましくは７０ｍｍ以下、更に好ましくは６０ｍｍ以下、より具体的には、好ましくは１０〜５０ｍｍ、更に好ましくは２０〜４０ｍｍである。
吸収性本体５の縦方向Ｘに沿う側縁と該側縁の横方向Ｙの外方に位置する凸部２３の頂部２３ｐとの離間距離Ｒ（図２参照）は、好ましくは５ｍｍ以上、更に好ましくは１５ｍｍ以上、そして、好ましくは１００ｍｍ以下、更に好ましくは９０ｍｍ以下、より具体的には、好ましくは２０〜７０ｍｍ、更に好ましくは３０〜６０ｍｍである。
【００３７】
凸部２３の頂部２３ｐにおける吸汗シート２０の縦方向Ｘの長さＷ１（図２参照）は、好ましくは４０ｍｍ以上、更に好ましくは５５ｍｍ以上、そして、好ましくは１３０ｍｍ以下、更に好ましくは１１０ｍｍ以下、より具体的には、好ましくは５５〜１１０ｍｍ、更に好ましくは７０〜１００ｍｍである。
窪み部２４における吸汗シート２０の縦方向Ｘの長さＷ２（図２参照）は、好ましくは３０ｍｍ以上、更に好ましくは４０ｍｍ以上、そして、好ましくは９０ｍｍ以下、更に好ましくは８０ｍｍ以下、より具体的には、好ましくは４０〜８０ｍｍ、更に好ましくは５０〜７０ｍｍである。
【００３８】
吸汗シート２０としては、親水性の繊維シートを用いることができる。吸汗シート２０は、親水性繊維を２０質量％以上、特に５０重量％以上含むことが好ましい。吸汗シート２０は親水性繊維１００質量％から構成されていても良く、あるいは親水性繊維と疎水性繊維とを含んで構成されていても良い。後者の場合には、吸汗シート２０は疎水性繊維を８０質量％未満、特に５０質量％未満の量で含むことができる。親水性繊維としては、例えば、レーヨン、コットン、パルプ等のセルロース繊維の他、疎水性の熱可塑性樹脂からなる繊維に各種親水処理を施した繊維を用いることができる。一方、疎水性繊維としては、例えば、各種熱可塑性樹脂からなる繊維を用いることができる。これらの繊維を含む繊維シートとしては、例えば、スパンレース不織布、エアスルー不織布等の各種不織布、紙等が挙げられる。
【００３９】
吸汗シート２０の坪量は、汗の吸収能と吸汗シート２０に吸収された汗の蒸散の促進とのバランスの観点から、好ましくは１０ｇ／ｍ2以上、更に好ましくは２５ｇ／ｍ2以上、そして、好ましくは９０ｇ／ｍ2以下、更に好ましくは１００ｇ／ｍ2以下、より具体的には、好ましくは２５〜９０ｇ／ｍ2、更に好ましくは４０〜７５ｇ／ｍ2である。
【００４０】
図７には、本発明に係る吸汗シートの他の実施形態２０Ａ〜２０Ｄが示されている。吸汗シート２０Ａ〜２０Ｄについては、前述した吸汗シート２０と相違する点について主に説明し、同様の点については説明を省略する。特に説明しない点については、吸汗シート２０についての説明が適宜適用される。
【００４１】
図７（ａ）に示す吸汗シート２０Ａは、前記構成ｖを具備していない。即ち、吸汗シート２０Ａにおいては、凸部２３が曲線で構成されておらず直線で構成されており、平面視矩形状をなしている。吸汗シート２０Ａにおいては、縦方向内側端２２の全体が直線（縦方向Ｘに延びる直線及び横方向Ｙに延びる直線）で構成されており、凸部２３のみならず、窪み部２４も直線で構成されている。また、吸汗シート２０Ａは、前記構成ｖｉを具備していない。即ち、吸汗シート２０Ａにおいては、凸部２３の頂部２３ｐは、該頂部２３ｐの一部が吸収性本体５の横方向Ｙの外方に位置しているが、該頂部２３ｐの全体が吸収性本体５の横方向Ｙの外方に位置しておらず、平面視において吸収性本体５（立体ギャザー７）と部分的に重なっている。
【００４２】
図７（ｂ）に示す吸汗シート２０Ｂ及び図７（ｃ）に示す吸汗シート２０Ｃは、何れも前記構成ｖｉを具備していない。即ち、吸汗シート２０Ｂ，２０Ｃにおいては、凸部２３の頂部２３ｐは、該頂部２３ｐの全体が平面視において吸収性本体５と重なっていて、吸収性本体５の横方向Ｙの外方に位置していない。吸汗シート２０Ｂにおいては、縦方向内側端２２における複数（２つ）の凸部２３の横方向Ｙの外方が、縦方向外側端２１と平行な直線状となっているのに対し、吸汗シート２０Ｃにおいては、縦方向内側端２２の全体が曲線で構成されている。
【００４３】
図７（ｄ）に示す吸汗シート２０Ｄは、凸部２３の頂部２３ｐが吸汗シート２０Ｄの縦方向内側端２２の一端又は他端を含んで構成されている（凸部２３の頂部２３ｐが横方向Ｙの一端又は他端に存している）点以外は、図７（ａ）に示す吸汗シート２０Ａと同じであり、前記構成ｖ及びｖｉを具備していない。
【００４４】
以上、本発明の実施形態について説明したが、本発明は前記実施形態に制限されず、適宜変更可能である。例えば、前記実施形態では、吸汗シート２０及び２０Ａ〜２０Ｄそれぞれの縦方向外側端２１は、何れも横方向Ｙに平行な直線状であったが、縦方向内側端２２のように曲線を含んで構成されていても良く、その形状は特に限定されない。また、吸汗シートは凸部を３つ以上有しても良い。また、吸汗シートは、背側部に加えて更に腹側部に配されていても良い。また、前記実施形態では、本発明の吸収性物品の適用例の一つとしてパンツ型使い捨ておむつを挙げたが、ファスニングテープを具備するいわゆる展開型使い捨ておむつの他、生理用ナプキン、パンティライナー（おりものシート）、失禁パッド等にも適用することができる。
【００４５】
前述した本発明の実施形態に関し、更に以下の付記（吸収性物品）を開示する。
【００４６】
＜１＞  吸収性本体を備え、着用者の前後方向に相当する縦方向とこれに直交する横方向とを有し、着用時に着用者の腹側に配される腹側部、股間部に配される股下部及び背側に配される背側部を該縦方向に有する吸収性物品であって、
前記吸収性本体の縦方向に沿う両側部に、着用時に着用者の肌側に向かって起立する部分を有する一対の立体ギャザーが設けられており、
前記背側部における前記吸収性本体の肌対向面上に、前記立体ギャザーが該吸収性本体に接合されて該立体ギャザーの起立が阻害された、起立阻害部が形成されており、該起立阻害部は、少なくとも該背側部に配され且つ着用者の肌と接触して汗を吸収する、吸汗シートで覆われており、
前記吸汗シートは、平面視において、前記吸収性本体の前記背側部側の縦方向端部よりも縦方向外方を通って横方向に延びる、縦方向外側端と、該縦方向外側端とは縦方向の反対側に位置して横方向に延びる、縦方向内側端とを有し、且つ該縦方向内側端の一部が該縦方向外側端側とは反対側に突出する、凸部を複数有している吸収性物品。
【００４７】
＜２＞  前記吸汗シートは、平面視において、前記縦方向内側端の一部がその周辺部に比して前記縦方向外側端側に窪んでいる、窪み部を横方向中央に有している前記＜１＞記載の吸収性物品。
＜３＞  前記凸部の頂部とこれに隣接する前記窪み部との離間距離は、好ましくは５ｍｍ以上、更に好ましくは１０ｍｍ以上、そして、好ましくは７０ｍｍ以下、更に好ましくは６０ｍｍ以下、より具体的には、好ましくは１０〜５０ｍｍ、更に好ましくは２０〜４０ｍｍである前記＜２＞記載の吸収性物品。
＜４＞  前記窪み部における前記吸汗シートの縦方向の長さは、好ましくは３０ｍｍ以上、更に好ましくは４０ｍｍ以上、そして、好ましくは９０ｍｍ以下、更に好ましくは８０ｍｍ以下、より具体的には、好ましくは４０〜８０ｍｍ、更に好ましくは５０〜７０ｍｍである前記＜２＞又は＜３＞記載の吸収性物品。
【００４８】
＜５＞  前記凸部は、前記吸汗シートを横方向に二分する仮想直線を挟んで両側それぞれに位置している前記＜１＞〜＜４＞の何れか一項に記載の吸収性物品。
＜６＞  前記吸汗シートは前記凸部を２つ有している前記＜１＞〜＜５＞の何れか一項に記載の吸収性物品。
＜７＞  前記起立阻害部は、前記吸汗シートの前記凸部で覆われている前記＜１＞〜＜６＞の何れか一項に記載の吸収性物品。
＜８＞  前記凸部は、曲線で構成されている前記＜１＞〜＜７＞の何れか一項に記載の吸収性物品。
＜９＞  前記凸部の頂部は、その全体が前記吸収性本体の横方向外方に位置している前記＜１＞〜＜８＞の何れか一項に記載の吸収性物品。
＜１０＞  前記股下部の縦方向に沿う両側部それぞれに、レッグギャザー形成用のレッグ弾性部材が配されており、前記吸汗シートは、前記凸部が該レッグ弾性部材と重ならないように配されている前記＜１＞〜＜９＞の何れか一項に記載の吸収性物品。
【００４９】
＜１１＞  前記吸収性本体は、肌対向面を形成する液透過性の表面シート、非肌対向面を形成する液不透過性ないし撥水性（以下、これらを総称して液不透過性という）の裏面シート、及び両シート間に配置された液保持性の吸収体を具備する前記＜１＞〜＜１０＞の何れか一項に記載の吸収性物品。
＜１２＞  更に、前記吸収性本体の非肌対向面側（前記裏面シート側）に位置して該吸収性本体を固定している外装体を備えている前記＜１＞〜＜１１＞の何れか一項に記載の吸収性物品。
＜１３＞  前記外装体は、外層シートと内層シートとの積層体から構成されている前記＜１２＞記載の吸収性物品。
＜１４＞  前記吸収体は、吸水性ポリマーの粒子及びパルプ繊維等の繊維材料からなる吸収性コアを含んで構成される前記＜１１＞〜＜１３＞の何れか一項に記載の吸収性物品。
＜１５＞  前記吸収性コアは、コアラップシートで被覆されている前記＜１４＞記載の吸収性物品。
【００５０】
＜１６＞  前記立体ギャザーは、前記吸収性本体の縦方向の略全長に亘って設けられている前記＜１＞〜＜１５＞の何れか一項に記載の吸収性物品。
＜１７＞  前記立体ギャザーは、縦方向に沿う一側縁部側が着用時に着用者の肌側に向かって起立する、基壁部と、該基壁部の該一側縁部（上端部）に連接され、縦方向に沿って立体ギャザー形成用弾性部材が伸長状態で配されている、弾性伸縮部とを含んで構成されている前記＜１＞〜＜１６＞の何れか一項に記載の吸収性物品。
＜１８＞  前記立体ギャザーは、縦方向に一定の幅を有する１枚のサイドシートを含んで構成されており、該サイドシートは、前記基壁部及びその一側縁部（上端部）に前記弾性伸縮部が連設された形状を有するように折り返されており、該弾性伸縮部は、１枚の該サイドシートが折り重ねられて２層構造となっている前記＜１７＞記載の吸収性物品。
＜１９＞  前記サイドシートは、撥水性の不織布、樹脂フィルム製のシート、又は不織布と樹脂フィルムとのラミネート体からなる前記＜１８＞記載の吸収性物品。
【００５１】
＜２０＞  前記起立阻害部（前記背側部の起立阻害部）は、前記吸収性本体の縦方向に沿う両側縁より横方向の内方において前記立体ギャザーが該吸収性本体に接合されることにより形成されている前記＜１＞〜＜１９＞の何れか一項に記載の吸収性物品。
＜２１＞  前記腹側部における前記吸収性本体の肌対向面（前記表面シートの肌対向面）上には、該吸収性本体の縦方向に沿う両側縁より横方向の内方において前記立体ギャザーが該吸収性本体に接合されて該立体ギャザーの起立が阻害された、別の起立阻害部が形成されている前記＜１＞〜＜２０＞の何れか一項に記載の吸収性物品。
＜２２＞  前記背側部の前記起立阻害部を覆う前記吸汗シートは、該背側部のみに配されるか、又は、前記背側部と前記股下部における該背側部寄りの部分とに跨る部分〔吸収性物品を縦方向に二分する仮想直線を引いた場合に該仮想直線よりも背側に位置する部分〕のみに配される前記＜１＞〜＜２１＞の何れか一項に記載の吸収性物品。
＜２３＞  前記起立阻害部は疎水性である前記＜１＞〜＜２２＞の何れか一項に記載の吸収性物品。
【００５２】
＜２４＞  前記吸汗シートの大きさは前記背側部よりも小さい前記＜１＞〜＜２３＞の何れか一項に記載の吸収性物品。
＜２５＞  前記吸収性本体の縦方向に沿う側縁と該側縁の横方向の外方に位置する前記凸部の頂部との離間距離は、好ましくは５ｍｍ以上、更に好ましくは１５ｍｍ以上、そして、好ましくは１００ｍｍ以下、更に好ましくは９０ｍｍ以下、より具体的には、好ましくは２０〜７０ｍｍ、更に好ましくは３０〜６０ｍｍである前記＜１＞〜＜２４＞の何れか一項に記載の吸収性物品。
＜２６＞前記凸部の頂部における前記吸汗シートの縦方向の長さは、好ましくは４０ｍｍ以上、更に好ましくは５５ｍｍ以上、そして、好ましくは１３０ｍｍ以下、更に好ましくは１１０ｍｍ以下、より具体的には、好ましくは５５〜１１０ｍｍ、更に好ましくは７０〜１００ｍｍである前記＜１＞〜＜２５＞の何れか一項に記載の吸収性物品。
【００５３】
＜２７＞  前記吸汗シートは、親水性の繊維シートである前記＜１＞〜＜２６＞の何れか一項に記載の吸収性物品。
＜２８＞  前記吸汗シートは、親水性繊維を好ましくは２０質量％以上、更に好ましくは５０重量％以上含む前記＜１＞〜＜２７＞の何れか一項に記載の吸収性物品。
＜２９＞  前記吸汗シートは、親水性繊維１００質量％から構成されている前記＜１＞〜＜２８＞の何れか一項に記載の吸収性物品。
＜３０＞  前記吸汗シートは、親水性繊維と疎水性繊維とを含んで構成されている前記＜１＞〜＜２８＞の何れか一項に記載の吸収性物品。
＜３１＞  前記吸汗シートの坪量は、好ましくは１０ｇ／ｍ2以上、更に好ましくは２５ｇ／ｍ2以上、そして、好ましくは９０ｇ／ｍ2以下、更に好ましくは１００ｇ／ｍ2以下、より具体的には、好ましくは２５〜９０ｇ／ｍ2、更に好ましくは４０〜７５ｇ／ｍ2である前記＜１＞〜＜３０＞の何れか一項に記載の吸収性物品。
【００５４】
＜３２＞  前記吸汗シートは前記凸部を３つ以上有している前記＜１＞〜＜３１＞の何れか一項に記載の吸収性物品。
＜３３＞  前記吸汗シートは、前記背側部に加えて更に前記腹側部に配されている前記＜１＞〜＜３２＞の何れか一項に記載の吸収性物品。
＜３４＞  前記吸収性物品は、パンツ型使い捨ておむつである前記＜１＞〜＜３３＞の何れか一項に記載の吸収性物品。
＜３５＞  前記吸収性物品は、ファスニングテープを具備するいわゆる展開型使い捨ておむつ、生理用ナプキン、パンティライナー（おりものシート）、又は失禁パッドである前記＜１＞〜＜３４＞の何れか一項に記載の吸収性物品。
【符号の説明】
【００５５】
１  パンツ型使い捨ておむつ
２  表面シート
３  裏面シート
４  吸収体
５  吸収性本体
６  外装体
６１  外層シート
６２  内層シート
７  立体ギャザー
７０  基壁部
７１  弾性伸縮部
７２Ａ，７２Ｃ  起立阻害部
１２  レッグ弾性部材
１５  サイドシート
２０，２０Ａ，２０Ｂ，２０Ｃ，２０Ｄ  吸汗シート
２１  吸汗シートの縦方向外側端
２２  吸汗シートの縦方向内側端
２３  吸汗シートの凸部
２３ｐ  吸汗シートの凸部の頂部
２４  吸汗シートの窪み部
Ａ  腹側部
Ｂ  股下部
Ｃ  背側部
【図１】
2014083191.tif 000003
【図２】
2014083191.tif 000004
【図３】
2014083191.tif 000005
【図４】
2014083191.tif 000006
【図５】
2014083191.tif 000007
【図６】
2014083191.tif 000008
【図７】
2014083191.tif 000009